(57)【要約】      （修正有）【課題】支持する紐などを廃材とせず、グリーンカーテンに用いるつる性植物の取付けや交換が容易にできる緑化部材を提供する。【解決手段】養生ブロック４に根を植付けたつる性植物２と、上端に上部取付け部７を下端に下部取付け部９を有する紐又はワイヤ３とで緑化部材１とする。養生ブロック４の大きさ及び紐又はワイヤ３の長さを設定した規格の寸法とする。紐又はワイヤ３につる性植物を絡ませた構造とする。【選択図】図１
0003187955.tif 000002
【実用新案登録請求の範囲】
【請求項１】
養生ブロックに根を植付けたつる性植物と、上端に上部取付け部を下端に下部取付け部を有する紐又はワイヤとからなり、養生ブロックの大きさ及び紐又はワイヤの長さを設定した規格に合わせてあり、紐又はワイヤに前記のつる性植物を絡ませてあることを特徴とした緑化部材。
【請求項２】
前記紐又はワイヤは、芯線に副線を巻き付けたスパイラル構造とされていることを特徴とした請求項１に記載の緑化部材。
【請求項３】
請求項１又は２に記載の緑化部材を上支持材と下支持材間に複数本着脱可能に取付け、前記の緑化部材を交換可能としてあることを特徴としたグリーンカーテン。
【請求項４】
請求項３に記載の緑化部材を複数段に取り付けてカーテン面を構成してあることを特徴としたグリーンカーテン。
【考案の詳細な説明】
【技術分野】
【０００１】
本考案は、つる性植物を用いて壁面やパーティション面を緑化する場合に用いる緑化部材に関する。
壁面が高い場合の緑化は数段に分割して行われることもある。また、緑化されたパーティション面は、屋内では簡易な間仕切りとされるほか、癒し効果のあるインテリアとして利用される。屋外では目隠し用の衝立や遮光ガードあるいは侵入禁止を知らせる雰囲気の柔らかな障壁などに利用される。これらの壁やパーティションの緑化された面はグリーンカーテンと呼ばれる。
【背景技術】
【０００２】
つる性植物は、その特性からグリーンカーテンに好適な植物である。しかし、つる性植物は自立することができず、支柱となるものが必要である。
このため、育苗農家では麻紐等をビニールハウスの天井から吊り下げて支柱代わりとし、つる性植物を育成している。
そして、通常は、麻紐等に巻き付けたままグリーンカーテン用に出荷され、見映えの点から現場において麻紐等を除去している。ところが、この作業は意外に手間のかかる仕事である上、葉がちぎれてしまったり、つるが折れ曲がったり、切れてしまうなどしてつる性植物を傷めてしまうことが多い。しかも、除去した麻紐等は廃棄するしかないため、資源を無駄にしている。
【０００３】
なお、グリーンカーテンに利用することを目的としたつる性植物の育成に関する技術は、特許文献１〜３などに記載されている。多くはポットや育苗床で育てた苗をあらかじめ準備した棚やフェンスなど、つる性植物が絡みながら成長する際に支柱となるものの近くに移植し、つる性植物の成長を待ってグリーンカーテンを徐々に完成させる技術であり、つる性植物を緑化部材の一つとして流通させることができる、換言すれば商品にするための技術事項については何も開示がない。
【先行技術文献】
【特許文献】
【０００４】
【特許文献１】特開平８−４２２０１号公報
【特許文献２】特開２０１１−１３９６７２号公報
【特許文献３】特開２０１２−１２８１１０号公報
【考案の概要】
【考案が解決しようとする課題】
【０００５】
この考案は、取付けや交換作業が簡単であり、また、資源の無駄を省くこととなる緑化部材の提供を課題とする。
取付けとは、新たなグリーンカーテンに前記の緑化部材を用いることである。交換とは、すでに用いられている緑化部材を新たなものと取り換えることである。例えば、グリーンカーテンとしてすでに使用されている緑化部材を、季節に合ったつる性植物による緑化部材へ交換することや、時間の経過にともなって枯れたり弱ってしまったつる性植物の緑化部材を新鮮なつる性植物を巻き付けた新しい緑化部材と交換することである。
【課題を解決するための手段】
【０００６】
養生ブロックに根を植付けたつる性植物と、上端に上部取付け部を下端に下部取付け部を有する紐又はワイヤとからなり、養生ブロックの大きさ及び紐又はワイヤの長さを設定した規格に合わせてあり、紐又はワイヤにつる性植物を絡ませた構造とする。
紐又はワイヤは、育苗のときから、緑化部材として販売されるときまで、さらにグリーンカーテンとして壁面やパーティションに組みこまれた後まで、最初から一貫して同じものが利用される。
【０００７】
養生ブロックは、製品としての緑化部材ごとにつる性植物の根を独立して養生することができるものであり、少量の土を入れた個々のポットや繊維を絡ませ水分と多少の肥料を含ませたブロックなどである。この考案の緑化部材は、つる性植物の交換や組み合わせを目的とした商品であることから、養生ブロックは比較的小形であり、つる性植物を交換までの間、枯れることなく維持できる範囲のものでよい。もちろん、給水可能なものを包含する。
紐又はワイヤは、芯線に副線を巻き付けたスパイラル構造としたものが好ましい。
本考案のグリーンカーテンは、前記の緑化部材を枠材へ複数本取付けて構成する。取付け部は、前記の枠材へ着脱自在であり、前記の緑化部材を枠材に対して、取付けが容易あるいは交換が可能としてある。
【考案の効果】
【０００８】
グリーンカーテンに用いるつる性植物をグリーンカーテンの現場において育てることにより緑化を完成させるのではなく、紐又はワイヤにつる性植物を絡ませた緑化部材を取付けることによってグリーンカーテンを完成するので、つる性植物が緑化部材として準備されていれば、グリーンカーテンを必要な時に短時間で完成させることができる。
つる性植物をグリーンカーテン用の規格化された新たな商品（緑化部材）として広く販売することができる。
緑化部材は規格化されているために、グリーンカーテンの部材として交換が簡単であり、また、季節や好みに応じてつる性植物の種類を変えるなど、種々のつる性植物を組み合わせることもできる。
【０００９】
紐又はワイヤは、緑化部材が育苗時からグリーンカーテンの一部となるまで、取り外す必要がないため、紐又はワイヤを取り外す手間が生じない。また、紐又はワイヤが無駄にならない。
成長し、生育の安定したつる性植物を商品化できるので、短期間で緑化を完成しやすいと共につる性植物特有の花や実を楽しむこともできる。また、成長したつる性植物は高価に取引されるので、育苗農家にとっても付加価値が高い商品を生産できる。
この緑化部材のつる性植物は成長した状態で提供され、上部取付け部及び下部取付け部の付いた紐又はワイヤが付属しているので、家庭やオフィスで購入しても手軽にインテリアや目隠しなどとして利用することができる。
【図面の簡単な説明】
【００１０】
【図１】実施例１の緑化部材の斜視図。
【図２】（イ）は緑化部材を緊張させて張設した状態のグリーンカーテン。（ロ）は緑化部材を緩い状態で張設したグリーンカーテン。
【図３】緑化部材の梱包状態を示したもので、（イ)は箱詰状態の斜視図、（ロ）は簡易包装の状態を示した正面図。
【図４】実施例１の緑化部材をパーティションに使用した場合の正面図(一部)を破断して示している。
【図５】実施例１に係るパーティションの要部を拡大して示した断面図。
【図６】壁面などの大きなグリーンカーテンに緑化部材を利用した場合の正面図。
【図７】実施例２の緑化部材の斜視図。
【図８】実施例２の緑化部材をパーティションに使用した場合の正面図(一部)を破断して示している。
【図９】実施例２に係るパーティションの要部を拡大して示した断面図。
【考案を実施するための形態】
【００１１】
図１は、本考案の実施例１である。
緑化部材１は、つる性植物２とワイヤ３及び養生ブロック４を有する。
つる性植物２は、この実施例において、ヘデラ・ヘリックスであり１．２ｍ位に成長したものである。つる性植物２としては、他につる性ジャスミンなど多種のものを利用できる。また、自力で巻き付けない種類のものは植木バンドなどを用いてワイヤ３へ誘因固定する場合もある。
【００１２】
ワイヤ３は、いわゆるスパイラルワイヤと呼ばれるものであり、芯線５に副線６をらせん状に巻き付けたものである。芯線５と副線６はいずれもステンレスワイヤであり、いずれも表面がナイロンなどの樹脂でコーティングされている。芯線５と副線６からなるスパイラルワイヤの呼び径（スパイラルの外形）はφ６である。ワイヤ３は上端に上取付け部としての上フック７を有する。上フック７は、緑化部材１をグリーンカーテンを構成する上支持材１０(図２)などに取付けるためのものである。また、ワイヤ３の下端にはチャック８を介して下取付け部としての下フック９を取り付けてある。下フック９は、緑化部材１の下部をグリーンカーテンを構成する下支持材１１などに取付けて安定させるためのものである。
【００１３】
グリーンカーテンを構成するために必要な上支持材１０と下支持材１１（パイプや形材あるいは線材を含む）は、それぞれ枠材単独で壁面に固定される場合もあるが、パーティションのようにフレームに組まれた枠体の上枠材と下枠材のこともある。いずれにしても、上フック７、下フック９間の寸法は、前記上支持材１０と下支持材１１間の寸法に合わせて規格化されており、規格に合った緑化部材１であれば、どの商品であっても目的のグリーンカーテンに適合する仕様とされている。
なお、規格に適合することは、上下のフック７，９間でワイヤ３を緊張状態に張設する場合ばかりでなく、グリーンカーテンの目的によって緑化部材が緩やかに取り付けられる場合も包含する(図２ロ)。
【００１４】
養生ブロック４は、この実施例において廃材を利用したリサイクル繊維を圧縮成形して繊維間をバインダーで緩く結合したブロックで、５０×５０×１００ｍｍの直方体である。水と薄い肥料を含浸させてある。養生ブロック４としては、前記と同様な細長いポットに埴土を充填し、開口部を不織布などで軽く封鎖したものでもよい。また、養生ブロック４の寸法は緑化部材１を使用する目的のグリーンカーテンの仕様に拠るが、できるだけ大きなものが好ましい。しかし、商品としての搬送時に重すぎたり、かさばるなどの都合を考慮する必要がある。
【００１５】
このような緑化部材１は、少なくともワイヤ３がつる性植物２を育苗する当初から支柱として使用され、つる性植物２が成長してグリーンカーテンへ取り付けられるときには一種の取付け部材兼用の支柱として利用されるので、ワイヤ３が商品として出荷されるまで継続して利用される。また、出荷された後もグリーンカーテンにおいてそのまま利用される。このため、つる性植物２をワイヤ３から引き外す作業は全く必要がない。
なお、養生ブロック４は出荷時に目的とするグリーンカーテン用のものが採用され、つる性植物２が苗床から移植されることがある。
養生ブロック４は複数のつる性植物をまとめて育成した共通のマット状育苗床から出荷時につる性植物ごと目的の大きさに切り出して利用することもある。
【００１６】
緑化部材１の出荷は、バラ積みの場合はトラックの荷台に作った枠体に多数をぶら下げた状態でグリーンカーテンの現場に搬送すればよいが、花屋やホームセンターなどへ出荷する時には、図３のような梱包例となる。図３（イ）は細長い段ボール詰めであり、養生ブロック４を箱１２内の定置部１３へ納めた後、つる性植物を丸めて納めてある。図３（ロ）は透明樹脂フィルムのフック付きカバー１４を用いるものであり、カバー１４は下辺が封鎖された筒状で、緑化部材１を内部に納め、上辺に設けた展示用のフック１５を売り場のフックに掛けるなどする。
【００１７】
図４は、グリーンカーテンの一例であり、パーティション１６に形成されている。
パーティション１６は、プランター１７とフレーム１８及び複数本の緑化部材１で構成されている。
プランター１７は、緑化部材１の下部を取付けて安定させるとともに、養生ブロック４に給水をする部分であり、その内部にステンレス製の防水容器１９を設置してある。防水容器１９の内部にはプラスチックシート２０及び不織布２１を敷いて、その内側に給水装置２２を設置すると共に養生ブロック４を埋め込むための培土２３を充填してある。給水装置２２は市販の独立タンク方式のものであって、給水口２５を有する水タンク２４と、水タンク２４の内部から延びる導水布２６を備える。導水布２６はプランターの寸法に合わせた長さの不織布であり、毛細管現象により培土２３に水を浸透させる。
【００１８】
フレーム１８は、左右の縦枠２７ａ，２７ｂと上枠２８と下枠２９からなるアルミ合金製枠体であり、左右の縦枠２７ａ，２７ｂの下部でプランター１７へ強固に取り付けられている。上枠２８は下面にスリットを備えたカーテンレールタイプの構造で、緑化部材１の上フック７と係合する複数のランナーが内部に配置されている。下枠２９は上面にスリットを有するカーテンレールタイプの構造を有し、培土２３のやや上方において左右の縦枠２７ａ，２７ｂ間に架設されている。下枠２９の内部には下フック９と係合する複数のランナーが配置されている。
上枠２８と下枠２９間の上下寸法は緑化部材１との間で規格寸法とされている。
【００１９】
パーティション１６を構成するには、下枠２９を外したフレーム１８をプランター１７に取り付け、プランター１７の内部に防水容器１９、プラスチックシート２０、不織布２１、給水装置２２及び培土２３を順次設置する。給水装置２２の導水布２６は先端が水タンク２４側の端部よりもやや高くなるよう傾斜させて培土２３で支持する。次に、下枠２９を左右の縦枠２７ａ，２７ｂ間に架け渡す。次いで、購入した緑化部材１のワイヤ３の上フック７を上枠２８のランナーに掛け、下フック９を下枠２９のランナーに係止し、養生ブロック４を培土２３に埋め込む。
複数の緑化部材１を同様にしてプランター１７とフレーム１８に取付ける。各緑化部材１間の間隔は上下のランナーを上枠２８や下枠２９に沿わせて移動させることにより、調整することができる。これにより、緑化部材１の軸線が揃った外観のきれいなパーティション１６を得ることができる。養生ブロック４に対しては水タンク２４から導水布２６及び培土２３を通して水分が供給される。
【００２０】
図６は、グリーンカーテンが壁面など比較的上下寸法が大きな箇所に構築される場合の利用例であり、壁面に構成する前記の上支持材１０、下支持材１１の間隔を緑化部材１に採用するつる性植物として適切な長さに設定する（規格化）。これにより、長大な緑化部材１を作る必要がなく、育成上また搬送上の問題を解決し、また、グリーンカーテンを短期間で完成させることができる。緑化部材１の交換や組み合わせも容易になる。
このように、ワイヤ３の上端に設けた上フック７を上支持材１０に引掛け、下端に設けた下フック９を下支持材１１に引掛けて、緑化部材１を張設するだけで、簡単にグリーンカーテンを構築することができる。現場作業が大幅に削減されると共につる性植物が傷むこともなく、また、廃棄物も生じない。
【００２１】
図７は、本考案の実施例２である。
実施例２の緑化部材１では、ワイヤ３の下部が養生ブロック４を貫通している。ワイヤ３には養生ブロック４を下面側から支持する円盤状の抜け止め部材３０が取り付けられている。
この緑化部材１を用いたパーティション１６のプランター１７は、内部に緑化部材１の下フック９に係合する下係合部材３１と給水装置３２を備える（図８）。下係合部材３１の下端はプランター１７の奥行き方向中央に固定されたレール３３に位置調整可能に取り付けられる。また、下係合部材３１は緑化部材１を下方へ付勢するスプリング３４を備えている。
【００２２】
給水装置３２は水タンク３７と給水マット３５と導水布３６を備える。水タンク３７はレール３３の両側に、プランター１７に設置された緑化部材１の養生ブロック４を挟むようにして配置される。そして、水タンク３７と養生ブロック４との間に給水マット３５が養生ブロック４の側面に接して配置されている。給水マット３５には、水タンク３７の内部から導水布３６が接続され、水分が補給される（図９）。
複数の緑化部材１がフレーム１８の上枠２８とレール３３の間に配置され、下フック９がプランター１７内部のレール３３に取付けられている下係合部材３１に係止している。この時、スプリング３４が引き伸ばされた状態で係止されるので、緑化部材１のワイヤ３は略直線に張設される。
【００２３】
以上、実施例を説明した。
緑化部材１に利用するつる性植物の大きさは自由であり、利用目的に応じて定めればよい。ワイヤ３の長さに適合した長さとする必要はない。
紐又はワイヤなどの形態は種々設定することができる。育苗から完成した緑化部材１としてグリーンカーテンに使用されている状態まで一貫して利用できることが重要である。
実施例では、上枠２８（上支持材）及び下枠２９やレール３３（下支持材）に沿って緑化部材１の上端、下端の位置を調整可能としているが、調整可能な構造は必ずしも必要ではない。
実施例で取り上げた給水手段は一例であり、これに限定されない。緑化部材１をインテリアなどに利用する場合、交換のサイクルが１週間くらいであれば、給水の必要がない場合もある。
上フック７（上部取付け部）、下フック９（下部取付け部）の形態や構造も実施例のものに限定されない。上フック７の下端或いは下フック９の上端にコイルバネを一体に形成してもよい。
【符号の説明】
【００２４】
１    緑化部材
２    つる性植物
３    ワイヤ
４    養生ブロック
５    芯線
６    副線
７    上フック（上部取付け部）
８    チャック
９    下フック（下部取付け部）
１０  上支持材
１１  下支持材
１２  箱
１３  定置部
１４  カバー
１５  展示用のフック
１６  パーティション
１７  プランター
１８  フレーム
１９  防水容器
２０  プラスチックシート
２１  不織布
２２  給水装置
２３  培土
２４  水タンク
２５  給水口
２６  導水布
２７ａ，２７ｂ  縦枠
２８  上枠
２９  下枠
３０  抜け止め部材
３１  下係合部材
３２  給水装置
３３  レール
３４  スプリング
３５  給水マット
３６  導水布
３７  水タンク
【図１】
0003187955.tif 000003
【図２】
0003187955.tif 000004
【図３】
0003187955.tif 000005
【図４】
0003187955.tif 000006
【図５】
0003187955.tif 000007
【図６】
0003187955.tif 000008
【図７】
0003187955.tif 000009
【図８】
0003187955.tif 000010
【図９】
0003187955.tif 000011
【手続補正書】
【提出日】平成25年10月23日(2013.10.23)
【手続補正１】
【補正対象書類名】実用新案登録請求の範囲
【補正対象項目名】請求項４
【補正方法】変更
【補正の内容】
【請求項４】
前記緑化部材を複数段に取り付けてカーテン面を構成してあることを特徴とした請求項３に記載のグリーンカーテン。